(57)【特許請求の範囲】
【請求項１】
ボイラから排出される排ガスが流通するダクト途中に、アンモニアを注入するアンモニア注入ノズルを配設すると共に、該アンモニア注入ノズルより下流側に、内部に脱硝触媒が充填された脱硝反応器を設けてなる脱硝装置の目詰り防止装置であって、
脱硝反応器の入側に、排ガス中に含まれる煤塵を捕集するためのフィルタを設けると共に、該フィルタ下流側から上流側へ向け煤吹媒体を噴射してフィルタに捕集された煤塵を吹き飛ばすための噴射ノズルと、該噴射ノズルから噴射される煤吹媒体によって吹き飛ばされた煤塵を吸引するための煤塵吸引機とを配設したことを特徴とする脱硝装置の目詰り防止装置。
【請求項２】
フィルタを挟んで噴射ノズルと対向するように配設された集塵コーンと、
該集塵コーンと脱硝反応器の下流側に設けられる集塵装置入側のダクトとを接続する煤塵吸引配管と、
該煤塵吸引配管途中に設けられ、噴射ノズルからの煤吹媒体噴射時に連動して開操作される遮断弁と
によって煤塵吸引機を構成した請求項１記載の脱硝装置の目詰り防止装置。
【請求項３】
噴射ノズルと集塵コーンとを対向させた状態でフィルタに沿って移動させる移動装置を備えた請求項２記載の脱硝装置の目詰り防止装置。
【発明の詳細な説明】
【０００１】
【発明の属する技術分野】
本発明は、脱硝装置の目詰り防止装置に関するものである。
【０００２】
【従来の技術】
図４はボイラにおける従来の脱硝装置の一例を表わすものであって、該脱硝装置は、ボイラから排出される排ガスが流通するダクト１途中に、アンモニア（ＮＨ3）を注入するアンモニア注入ノズル２を配設すると共に、該アンモニア注入ノズル２より下流側に、内部に脱硝触媒が充填された脱硝反応器３を設けてなる構成を有しており、前記アンモニア注入ノズル２からダクト１内にアンモニアを注入し、ボイラから排出される排ガス中に含まれるＮＯxを脱硝反応器３内の脱硝触媒によって
【化１】
ＮＯ＋ＮＨ3→Ｎ2＋Ｈ2Ｏ
といった反応式で示される如く還元することにより、脱硝を行い、排ガス中のＮＯxを低減するようになっている。
【０００３】
尚、図中、４は脱硝反応器３を通過した排ガスとボイラのバーナへ供給される燃焼用空気とを熱交換させるための空気予熱器、５は空気予熱器４を通過した排ガス中に含まれる煤塵を捕集するための集塵装置であり、ボイラから排出され前述の如く脱硝反応器３でＮＯxが除去された排ガスは、空気予熱器４でボイラのバーナへ供給される燃焼用空気と熱交換され、集塵装置５で煤塵が捕集され、図示していない脱硫装置で硫黄酸化物が除去された後、煙突から大気中へ放出されるようになっている。
【０００４】
【発明が解決しようとする課題】
ところで、ボイラを定期点検後に再起動した場合、特に水洗を行わないボイラでは、ボイラ内に残った煤塵が飛散し、脱硝反応器３内に充填された脱硝触媒の上に堆積し、該脱硝触媒が目詰りを起こす虞がある。
【０００５】
このため、従来においては、脱硝反応器３の脱硝触媒の入側にスートブロワを設け、脱硝触媒の上に堆積した煤塵を吹き飛ばすことが行われていた。
【０００６】
しかしながら、前述の如く、脱硝触媒の上に堆積した煤塵を単に吹き飛ばすだけでは、比較的粒径の大きな煤塵は下流側へ流れずに脱硝触媒の上に再堆積し、結局は脱硝触媒が目詰りを起こしてしまい、清掃を頻繁に行う必要が生じてその都度ボイラの運転を停止しなければならず、又、脱硝触媒の目詰りによる抵抗の増加により燃焼用空気を圧送する押込通風機の動力費も嵩むという不具合を有していた。
【０００７】
本発明は、斯かる実情に鑑み、脱硝反応器内に充填された脱硝触媒に対する煤塵の堆積を防ぎ、脱硝触媒の目詰りを防止し得、清掃間隔を延長してボイラ連続運転時間を延長し得、燃焼用空気を圧送する押込通風機の動力費低減をも図り得る脱硝装置の目詰り防止装置を提供しようとするものである。
【０００８】
【課題を解決するための手段】
本発明は、ボイラから排出される排ガスが流通するダクト途中に、アンモニアを注入するアンモニア注入ノズルを配設すると共に、該アンモニア注入ノズルより下流側に、内部に脱硝触媒が充填された脱硝反応器を設けてなる脱硝装置の目詰り防止装置であって、
脱硝反応器の入側に、排ガス中に含まれる煤塵を捕集するためのフィルタを設けると共に、該フィルタ下流側から上流側へ向け煤吹媒体を噴射してフィルタに捕集された煤塵を吹き飛ばすための噴射ノズルと、該噴射ノズルから噴射される煤吹媒体によって吹き飛ばされた煤塵を吸引するための煤塵吸引機とを配設したことを特徴とする脱硝装置の目詰り防止装置にかかるものである。
【０００９】
前記脱硝装置の目詰り防止装置においては、フィルタを挟んで噴射ノズルと対向するように配設された集塵コーンと、
該集塵コーンと脱硝反応器の下流側に設けられる集塵装置入側のダクトとを接続する煤塵吸引配管と、
該煤塵吸引配管途中に設けられ、噴射ノズルからの煤吹媒体噴射時に連動して開操作される遮断弁と
によって煤塵吸引機を構成することができる。
【００１０】
又、噴射ノズルと集塵コーンとを対向させた状態でフィルタに沿って移動させる移動装置を備えるようにすることもできる。
【００１１】
上記手段によれば、以下のような作用が得られる。
【００１２】
ボイラを定期点検後に再起動した場合、特に水洗を行わないボイラでは、ボイラ内に残った煤塵が飛散するが、該煤塵は、フィルタによって捕集され、該フィルタに捕集された煤塵は、該フィルタ下流側から上流側へ向け煤吹媒体を噴射ノズルから噴射することによって吹き飛ばされ、煤塵吸引機に吸引される。
【００１３】
この結果、脱硝触媒の上に煤塵が堆積せず、脱硝触媒が目詰りを起こさなくなり、清掃を頻繁に行う必要がなくなってその都度ボイラの運転を停止しなくて済み、又、脱硝触媒の目詰りによる抵抗の増加も避けられ燃焼用空気を圧送する押込通風機の動力費も少なくて済む。
【００１４】
前記脱硝装置の目詰り防止装置において、フィルタを挟んで噴射ノズルと対向するように配設された集塵コーンと、該集塵コーンと脱硝反応器の下流側に設けられる集塵装置入側のダクトとを接続する煤塵吸引配管と、該煤塵吸引配管途中に設けられ、噴射ノズルからの煤吹媒体噴射時に連動して開操作される遮断弁とによって煤塵吸引機を構成した場合、前記噴射ノズルからの煤吹媒体噴射時に連動して遮断弁を開くと、脱硝反応器の入側の圧力の方が集塵装置入側の圧力より高いため、該圧力差により、専用のブロワ等を用いなくても、前記噴射ノズルから噴射される煤吹媒体によって吹き飛ばされた煤塵は、煤塵吸引機の集塵コーンに吸引され、煤塵吸引配管を介して集塵装置入側のダクト内に送り込まれ、集塵装置で捕集され、処理される。
【００１５】
又、噴射ノズルと集塵コーンとを対向させた状態でフィルタに沿って移動させる移動装置を備えるようにした場合、該移動装置の駆動により、噴射ノズルと集塵コーンとを対向させた状態でフィルタに沿って移動させると、フィルタ全面に噴射ノズルと集塵コーンとを配置しなくても、フィルタ全面に亘って煤塵の除去が行われる。
【００１６】
【発明の実施の形態】
以下、本発明の実施の形態を図示例と共に説明する。
【００１７】
図１〜図３は本発明を実施する形態の一例であって、図中、図４と同一の符号を付した部分は同一物を表わしており、脱硝反応器３の入側に、排ガス中に含まれる煤塵を捕集するためのメッシュの細かい金網等を利用したフィルタ６を設けると共に、該フィルタ６下流側から上流側へ向け蒸気等の煤吹媒体を噴射してフィルタ６に捕集された煤塵を吹き飛ばすための噴射ノズル７と、該噴射ノズル７から噴射される煤吹媒体によって吹き飛ばされた煤塵を吸引するための煤塵吸引機８とを配設したものである。
【００１８】
前記噴射ノズル７は、図２に示す如く、フィルタ６の下方にスライド自在に配設され且つ蒸気等の煤吹媒体が供給される煤吹媒体供給配管９から分岐させた枝管１０に所要間隔をあけて多数配設してある。
【００１９】
又、前記煤塵吸引機８は、前記煤吹媒体供給配管９と平行に延びるようフィルタ６の上方にスライド自在に配設された煤塵吸引配管１１から、前記枝管１０と平行に延びる枝管１２を分岐させ、該枝管１２に、フィルタ６を挟んで噴射ノズル７と対向するよう集塵コーン１３を配設し、前記煤塵吸引配管１１を脱硝反応器３の下流側に設けられる集塵装置５入側のダクト１４に煤塵吸引配管１１’を介して接続すると共に、該煤塵吸引配管１１’途中に、噴射ノズル７からの煤吹媒体噴射時に連動して開操作される遮断弁１５を設けてなる構成を有している。
【００２０】
更に、前記フィルタ６の両幅端部にはガイドレール１６を設け、該ガイドレール１６に沿って転動自在なガイドローラ１７，１８を前記各枝管１０，１２の先端部に取り付け、前記煤吹媒体供給配管９と煤塵吸引配管１１とを連結部材１９で連結し、該連結部材１９にシリンダ等の移動装置２０を取り付け、該移動装置２０の駆動により、煤吹媒体供給配管９と煤塵吸引配管１１をガイドレール１６に沿って移動させ、噴射ノズル７と集塵コーン１３とを対向させた状態でフィルタ６に沿って移動させ、フィルタ６全面に亘って煤塵の除去を行えるようにしてある。
【００２１】
次に、上記図示例の作動を説明する。
【００２２】
ボイラを定期点検後に再起動した場合、特に水洗を行わないボイラでは、ボイラ内に残った煤塵が飛散するが、該煤塵は、メッシュの細かい金網等を利用したフィルタ６によって捕集される。
【００２３】
前記フィルタ６に捕集された煤塵は、該フィルタ６下流側から上流側へ向け蒸気等の煤吹媒体を噴射ノズル７から噴射することによって吹き飛ばされ、この時、遮断弁１５を開くと、脱硝反応器３の入側の圧力の方が集塵装置５入側の圧力より高いため、該圧力差により、専用のブロワ等を用いなくても、前記噴射ノズル７から噴射される煤吹媒体によって吹き飛ばされた煤塵は、煤塵吸引機８の集塵コーン１３に吸引され、枝管１２から煤塵吸引配管１１と煤塵吸引配管１１’とを介して集塵装置５入側のダクト１４内に送り込まれ、集塵装置５で捕集され、処理される。
【００２４】
ここで、移動装置２０の駆動により、煤吹媒体供給配管９と煤塵吸引配管１１をガイドレール１６に沿って移動させ、噴射ノズル７と集塵コーン１３とを対向させた状態でフィルタ６に沿って移動させると、フィルタ６全面に噴射ノズル７と集塵コーン１３とを配置しなくても、フィルタ６全面に亘って煤塵の除去が行われる。
【００２５】
この結果、脱硝触媒の上に煤塵が堆積せず、脱硝触媒が目詰りを起こさなくなり、清掃を頻繁に行う必要がなくなってその都度ボイラの運転を停止しなくて済み、又、脱硝触媒の目詰りによる抵抗の増加も避けられ燃焼用空気を圧送する押込通風機の動力費も少なくて済む。
【００２６】
こうして、脱硝反応器３内に充填された脱硝触媒に対する煤塵の堆積を防ぎ、脱硝触媒の目詰りを防止し得、清掃間隔を延長してボイラ連続運転時間を延長し得、燃焼用空気を圧送する押込通風機の動力費低減をも図り得る。
【００２７】
尚、本発明の脱硝装置の目詰り防止装置は、上述の図示例にのみ限定されるものではなく、本発明の要旨を逸脱しない範囲内において種々変更を加え得ることは勿論である。
【００２８】
【発明の効果】
以上、説明したように本発明の請求項１〜３記載の脱硝装置の目詰り防止装置によれば、脱硝反応器内に充填された脱硝触媒に対する煤塵の堆積を防ぎ、脱硝触媒の目詰りを防止し得、清掃間隔を延長してボイラ連続運転時間を延長し得、燃焼用空気を圧送する押込通風機の動力費低減をも図り得るという優れた効果を奏し得る。
【図面の簡単な説明】
【図１】本発明を実施する形態の一例の全体概要構成図である。
【図２】本発明を実施する形態の一例の概要斜視図である。
【図３】図１のＩＩＩ部拡大図である。
【図４】従来例の全体概要構成図である。
【符号の説明】
１    ダクト
２    アンモニア注入ノズル
３    脱硝反応器
５    集塵装置
６    フィルタ
７    噴射ノズル
８    煤塵吸引機
１１    煤塵吸引配管
１１’  煤塵吸引配管
１３    集塵コーン
１４    ダクト
１５    遮断弁
２０    移動装置
【図１】
0004360023.tif 000002
【図２】
0004360023.tif 000003
【図３】
0004360023.tif 000004
【図４】
0004360023.tif 000005